(57)【要約】　　　（修正有）【課題】検電用ドライバーは、電位検知した通知を発光素子やブザーによって光、音にて行っていたが、騒音環境下や白昼の屋外での使用に際してもこの通知が使用者に確実に伝達される検電用ドライバを提供する。【解決手段】把手部１１の先端のドライバービット１２が接触した端子電位は、検電基板１４を介して振動モータ１５を起動させ、これによって発生する振動を使用者に伝播し、電位の存在を確認することができる。騒音環境下や白昼屋外での作業でも環境に影響されず確実な検電機能を得ることが可能である。【選択図】　　図１
2004106141.tif 000002
【特許請求の範囲】
【請求項１】
内部に収納室を有する把手部と、この把手部の一端に設けたドライバービットと、前記収納室に装着され前記ドライバービットからの電位を入力する検電基板と、前記収納室に装着され前記検電基板の出力が印加される振動手段と、前記収納室に装着された電池と、前記把手部の他端に開口する前記収納室を閉鎖するキャップと、前記把手部に設けた動作確認スイッチとを具備することを特徴とする検電用ドライバー。
【請求項２】
前記ドライバービットは先端部を除き電気絶縁部材で被覆されていることを特徴とする請求項１記載の検電用ドライバー。
【請求項３】
前記動作確認スイッチは、前記把手部の中央より前記ドライバービットに寄った箇所に設けたことを特徴とする請求項１記載の検電用ドライバー。
【請求項４】
前記キャップには回転部材が設けられていることを特徴とする請求項１記載の検電用ドライバー。
【請求項５】
前記振動手段は、振動モータであることを特徴とする請求項１記載の検電ドライバー。
【発明の詳細な説明】
【０００１】
【発明が属する技術分野】
本発明は、騒音の激しい現場や日中の明るい屋外でも正確に機能する検電ドライバーに関する。
【０００２】
【従来の技術】
検電機能を有するドライバーには、ドライバー型ネオン検電器やアラームの付いた検電用ドライバーなどがある。代表的な検電用ドライバーとしては、ドライバービットを先端に装着する把手部内に電気部品を搭載した配線基板、電池などを組み込み、配線基板には発光素子、ブザー、電池確認スイッチなどが搭載されている。ドライバービットが通電部に接触すると、発光素子、ブザーが作動し、検電ドライバー所持者へ通電を知らせるように機能する。（特許文献１参照）。
【０００３】
また、目の不自由な人の歩行に際して杖などに検電機能を付加し、路面の通電箇所を杖が接触すると杖から音を発生させたり、杖を振動させたりして使用者に情報提供することも開示されている。（特許文献２参照）。
【０００４】
なお、昨今多くの利用者がいるが、携帯電話機の着信確認手段として着信音のほかに電話機を振動させて着信を知らせるバイブレーションモードも広く知られるところである。また、目覚まし時計でも、ベル音のほかに枕元で振動を発生させ所定の時間になったことを睡眠者へ知らせるようなものもあることが報告されている。
【０００５】
【特許文献１】
実開平５−７２３７０号公報
【０００６】
【特許文献２】
特開２００１−３７８０２号公報
【０００７】
【発明が解決しようとする課題】
特許文献１に開示されている検電用ドライバーは、通電の事実を発光素子による光、ブザーによる音にて使用者へ通告するようにしたものである。しかしながら、概してドライバーを使用する環境としては、日中の屋外や騒音が激しいところが多く、検電結果をネオン光やブザー音で通告されたとしても、使用者が気づかない可能性もあって、感電の危険も増大し非常に危険である。また、特に発光通告用のネオン光はドライバーの把手部に設けることになるが、把手は使用者が握って作業することになり、作業者自身の手で見えなくしてしまうおそれも十分考えられる。
【０００８】
また、特許文献２に開示されている、目の不自由な人の杖が路面の電気情報を検知して振動する例や、携帯電話の着信を振動にて知る例や、目覚まし時計の通告を振動にて行う例などにおいては、杖、携帯電話、目覚まし時計のいずれもそれ自体が使用者、利用者にとって身体的に危険を招来するものではない。すなわち、杖は歩行の先の安全を確認するものであって、携帯電話、目覚まし時計のいずれも通話や睡眠から目を覚まさせる本来的な機能を有しているものである。このように、杖、携帯電話、目覚まし時計における振動は、これらの機能を強化するものであって、使用者の安全のみを目的としたものではない。
【０００９】
本発明は、簡単な構成であらゆる環境のもとで作業者に通電の有無を漏れなく正確に通告することを可能し、作業者の感電事故回避の安全を確保することを可能とした検電用ドライバーを提供することを目的とする。
【００１０】
【課題を解決するための手段】
上記目的を達成するためになされた本願発明に係わる検電用ドライバーは、内部に収納室を有する把手部と、この把手部の一端に設けたドライバービットと、前記収納室に装着され前記ドライバービットからの電位を入力する検電基板と、前記収納室に装着され前記検電基板の出力が印加される振動手段と、前記収納室に装着された電池と、前記把手部の他端に開口する前記収納室を閉鎖するキャップと、前記把手部に設けた動作確認スイッチとを具備することを要旨とする。
【００１１】
更に本発明に係わる検電用ドライバーは、前記ドライバービットの先端部を除き電気絶縁部材で被覆されていることを要旨とする。
【００１２】
更に本発明に係わる検電用ドライバーは、前記動作確認スイッチが前記把手部の中央より前記ドライバービットに寄った箇所に設けたことを要旨とする。
【００１３】
更に本発明に係わる検電用ドライバーは、前記キャップに回転部材が設けられていることを要旨とする。
【００１４】
更に本発明に係わる検電用ドライバーは、前記振動手段が振動モータであることを要旨とする。
【００１５】
【発明の実施の形態】
以下に本発明の実施の形態を図を参照して説明する。図１は本発明の実施形態を示す断面図、図２は図１の一部拡大斜視図、図３は図１の一部拡大断面図である。本発明に係わる検電用ドライバーは、把手部１１とこの把手部１１の先端に装着されたドライバービット１２から構成されている。把手部１１は略円柱形の樹脂にて形成されており、作業にて握りやすいように手元において略球形の膨大部となっている。
【００１６】
ドライバービット１２は、把手部１１の先端にて内部に挿入固定されている。また、ドライバービット１２の先端部を除き他の周囲は電気絶縁体で被覆されており、本例にあっては、把手部１１と一体に樹脂で被覆されている。把手部１１の内部には各種電気部品を装着するための収納室１３が形成されている。この収納室１３には、ドライバービット１２の一端と隣接して検電基板１４が配置されており、この検電基板１４の図示しない信号入力部はドライバービット１２と電気的に接続されている。検電基板１４に隣接して振動モータ１５が配置されており、この振動モータ１５には検電基板１４からの出力信号が入力されるように構成されている。
【００１７】
把手部１１内部に形成された収納室１３は、把手部１１の後端にて断面円筒形となっており、把手部１１の後端にて外部に開口している。この部分には電池１６が収納されており、この電池１６は把手１１の後端の開口部１７から交換可能となっている。この開口部１７は常時ネジ式キャップ１８にて閉鎖されている。電池１６から検電基板１４への電源供給は収納室１３の内面に沿う結線１９により行われる。また、把手部１１の先端に近い箇所には小孔２０が設けてあり、この内部に動作確認スイッチ２１が配置されている。
【００１８】
この動作確認スイッチ２１は、ドライバービット１２に電位が付加されたことを模擬する機能を実施するためのものである。また、この動作確認スイッチ２１を設置する箇所は、把手部１１にあって、作業上手に当たらない箇所が望ましく、本例においては先端に近く把手部１１の中央よりドライバービット１２に寄った箇所に設けるとよい。同様の理由から動作確認スイッチ２１はその上端が把手部１１表面から突出しないようになっており、上端は把手部１１の内部に埋設されるように配置してある。
【００１９】
図２に振動モータ１５の装着部を拡大して示してある。振動モータ１５は把手部１１に近接して装着してあり、回転軸１５ａには偏心ウェイト１５ｂが固定されている。これにより振動モータ１５の回転軸１５ａが回転すると偏心ウェイト１５ｂの作用によって、振動が発生しこの振動は近接する把手部１１に伝播して作業をする作業者の手に伝えられる。
【００２０】
一方、把手部１１の後端開口部１７を閉鎖するネジ式キャップ１７は、図３に拡大して示してあるように、表面は球面状に形成されており側面にはネジが設けてある。中央には透孔１７ａが穿設されており、表面にて径小開口部１７ｂとなっている。この透孔１７ａには回転部材１７ｃが挿入されている。回転部材１７ｃの一端は球体１７ｄとなっており、透孔１７ａの径小開口部１７ｂにて球体１７ｄは係止され抜け出ることはない。把手部１１外部の回転部材１７ｃには取り付け孔１７ｅが設けられている。この回転部材１７ｃは、通常、図示しないストラップを取付けることを目的としており、
このように構成した本発明に係わる検電用ドライバーにより、先端部以外が樹脂で被覆されたドライバービット１２で作業対象となる端子の締め付け及び検電検知を行う。検知した電位は導電体となっているドライバービット１２を通じて検電基板１４に印加する。印加された電位は検電基板１４を介して振動モータ１５を起動させ、ドライバー使用者に作業対象端子が活線状態であることを知らせる。なお、本例では振動モータを使用したが、他に電磁振動器や超音波振動器を用いてもよい。
【００２１】
従来、使用者へ活線状態を知らせる手段として発光や音によるによっていたため、騒音環境下や日中屋外での作業時には特に注意をしなければならなかった。本発明に係わる検電用ドライバーによると、このような環境下で作業を行う際に、手に握ったドライバーの振動で活線状態を使用者に知らせることができるようになり、危険な作業に強制的に違和感を与え注意を喚起することができる。なお、活線検知時の振動モータ動作に周期性をもたせ、断続的な振動を起こすことによりより一層確実な活線通知を可能とすることもできる。
【００２２】
また、検電基板１４、振動モータ１５、電池１６は、把手部１１後端のネジ式キャップ１８をはずして交換が可能な構成となっている。ネジ式キャップ１８に設けた回転部材１７ｃにはストラップなどを取り付けることができ、作業時に不意にドライバーを落下させることを防止することができる。また、この回転部材１７ｃはネジ式キャップ１７内部にて球体１７ｄで支持されているので、ドライバーにて端子の締め付け作業を行ってもストラップなどが絡まることを防止することができ、安全に作業を実施することが可能となった。
【００２３】
動作確認スイッチ２１を設けたことにより、このスイッチ２１を作動させて正常に振動が発生することを確認することによって、電池１６の容量確認並びに検電基板の動作が正常であることを確認することができる。これによって、電池が消耗していたり、検電基板に不具合あるにもかかわらず正常とみなして作業を行ってしまう結果発生する重大事故を防止することができる。
【００２４】
【発明の効果】
電位の存在を振動で知らせることができる検電用ドライバーを提供することにより、騒音環境下や白昼屋外での作業でも確実に電位の存否を確認することができ、安全な作業を確かなものとすることができるようになった。
【図面の簡単な説明】
【図１】本発明の実施形態を説明するための断面図。
【図２】図１の一部拡大斜視図。
【図３】図１の一部拡大断面図。
【符号の説明】
１１…把手部
１２…ドライバービット
１３…収納室
１４…検電基板
１５…振動モータ
１５ａ…回転軸
１５ｂ…偏心ウェイト
１６…電池
１７…開口部
１７ａ…透孔
１７ｂ…径小開口部
１７ｃ…回転部材
１７ｄ…球体
１７ｅ…取り付け孔
１８…ネジ式キャップ
１９…結線
２０…小孔
２１…動作確認スイッチ
【図１】
2004106141.tif 000003
【図２】
2004106141.tif 000004
【図３】
2004106141.tif 000005